(57)【特許請求の範囲】
【請求項１】
インサートラベル（３０）により表面を加飾した合成樹脂成型品であって、
該合成樹脂成型品は、透明性を有し、成型品の側面にゲート（４４）跡を有しているものであり、
該インサートラベル（３０）が貼着された合成樹脂成型品の内側は、少なくとも該ゲート（４４）側の該インサートラベル（３０）の端縁部に隣接する外側の位置にスリット溝（２６）が形成されており、
該スリット溝（２６）の深さ（ｄ）が０．２５ｍｍ以上であることを特徴とする加飾合成樹脂成形品。
【請求項２】
前記スリット溝は、前記ゲート（４４）側の後方スリット溝（２６ｂ）と前記ゲート（４４）の逆側に前方スリット溝（２６ｆ）を有している請求項１記載の加飾合成樹脂成形品。
【請求項３】
前記スリット溝が、前記インサートラベル（３０）の端縁部の全周を覆うように形成されている請求項１又は２のいずれかに記載の加飾合成樹脂成形品。
【請求項４】
前記後方スリット溝（２６ｂ）の溝深さ（ｄｂ）は、前記前方スリット溝（２６ｆ）の溝深さ（ｄｆ）に比べ、深くなっている請求項１〜３のいずれかに記載の加飾合成樹脂成形品。
【請求項５】
前記スリット溝（２６）の深さ（ｄ）が０．３０ｍｍ以上である請求項１〜４のいずれかに記載の加飾合成樹脂成形品。
【請求項６】
インサートラベル（３０）をインサート材としたインサート成形により表面を加飾した合成樹脂成型品の成形方法であって、
該インサートラベル（３０）は、少なくとも合成樹脂を射出するゲート（４４）側の端縁部に隣接する外側の位置にインサートラベル（３０）面よりも０．２５ｍｍ以上高い有効高さ（ｈ）を有する金型周壁（４５）を備えたコア金型（４１）の型面部分に配置され、
配置された該インサートラベル（３０）を、バキューム孔（４６）を介して吸引保持しつつ、
該合成樹脂成型品の側面のゲート（４４）から透明性を有する合成樹脂を射出成形することを特徴とする加飾合成樹脂成形品の成形方法。
【請求項７】
前記金型周壁（４５）が、前記ゲート（４４）側と前記ゲート（４４）の逆側に形成されている請求項６に記載の加飾合成樹脂成形品の成形方法。
【請求項８】
前記金型周壁（４５）が、前記インサートラベル（３０）の端縁部の全周を覆うように形成されている請求項６又は７に記載の加飾合成樹脂成形品の成形方法。
【請求項９】
前記金型周壁（４５）の有効高さ（ｈ）は、前記ゲート（４４）の逆側に比べ前記ゲート（４４）側の方が高い請求項６〜８のいずれかに記載の加飾合成樹脂成形品の成形方法。
【請求項１０】
前記金型周壁（４５）の有効高さ（ｈ）が０．３０ｍｍ以上である請求項６〜９のいずれかに記載の加飾合成樹脂成形品の成形方法。
【請求項１１】
前記インサートラベル（３０）を固定するコア金型（４１）は、該インサートラベル（３０）の設置する型面部分を、射出樹脂の流動方向に対して直交するように粗面化加工している請求項６〜１０のいずれかに記載の加飾合成樹脂成形品の成形方法。
【請求項１２】
前記バキューム孔（４６）の金型クリアランス（ｗ）が０．０５ｍｍ以上である請求項６〜１１のいずれかに記載の加飾合成樹脂成形品の成形方法。
【発明の詳細な説明】
【技術分野】
【０００１】
本発明は、インサートラベルによって表面を加飾した合成樹脂成形品及びその成型方法に関するものである。
【背景技術】
【０００２】
パッケージにおける装飾が、消費者への購買意欲を増大させたり商品力の大きな部分を占める化粧料用等の容器においては、塗装、印刷等によりさまざまな加飾性を発揮させて商品イメージを大きく向上させることが望まれている。このような加飾性を付与する方法の一つとして、インサートラベルをインサート材として予め金型内にセットし、成形品の成形と同時にこの成形品と一体化させ表面に貼着する方法が用いられている。
【０００３】
このインサートラベル（以下、単にラベルと記す場合がある）による加飾法は、成形品の成形と同時にラベルの貼着が達成され、専用の別工程の貼着作業を必要としないこと、成形品の表面とラベルとの間に段差が生じないので成形品とラベルを一体化したように見せることができること、成形品に対するラベルの強固で安定した貼着を確実に得ることができること、と云う優れた作用効果が発揮される。
【０００４】
しかしながら、成形時の金型キャビティ内に合成樹脂を射出したゲート跡が成形品の上面や裏面などの消費者の目に付き易い場所に設けると、外観上好ましくないため、化粧用のコンパクト容器においては容器側面の蝶番部側からサイドゲートにて成形する方法が開示されている（例えば、特許文献１参照）。
【０００５】
このサイドゲート成形法によりゲート跡は目立たなくなったものの、図６に示されるように、側方からの射出時の合成樹脂の流動圧力によってインサートラベル１３０の端縁部分が捲れ上がりラベル全体が所定の位置からズレてしまい、不良品となることがあった。そのため、バキューム孔１４６を用いてインサートラベル１３０を吸引保持してやることで、ゲート１４４から合成樹脂の射出流動圧力による位置ズレを防止する方法が開示されている（例えば、特許文献２参照）。
【０００６】
このバキュームの吸引作用を用いた方法であっても、特にゲート１４４に近い箇所などのインサートラベルが合成樹脂の流動圧力に負け、ラベルの端縁部分が捲くれ上がるとか、インサートラベルが所定位置から微妙にズレてしまうことがあった。
【先行技術文献】
【特許文献】
【０００７】
【特許文献１】特開２０１６−５５６２２号公報
【特許文献２】特開２００５−２８８３３号公報
【発明の概要】
【発明が解決しようとする課題】
【０００８】
本発明の目的は、上記した従来技術における問題点を解消することであり、インサートラベルを所定の場所に確実に固定して加飾性を高めた加飾合成樹脂成形品、及びサイドゲートにおける射出成形時にインサートラベルが受ける合成樹脂の流動圧力を低減させ、インサートラベルの端縁部分が捲くれ上がるとか、インサートラベルが所定位置からズレることを防止した加飾合成樹脂成形品の成形方法を提供することである。
【課題を解決するための手段】
【０００９】
記課題を解決するため、本発明の主たる構成は、
インサートラベルにより表面を加飾した合成樹脂成型品であって、
該合成樹脂成型品は、透明性を有し、容器側面にゲート跡を有しているものであり、
該インサートラベルが貼着された合成樹脂成型品の内側は、少なくとも該ゲート側の該インサートラベルの端縁部に隣接する外側の位置にスリット溝が形成されており、
該スリット溝の深さが０．２５ｍｍ以上である
ことを特徴とする。
【００１０】
上記主たる構成からなる加飾合成樹脂成形品では、少なくともゲート側のインサートラベルの端縁部に深さ０．２５ｍｍ以上のスリット溝が形成されているため、インサートラベルの端縁部分が捲くれ上がることを防止することができ、インサートラベルを所定の場所に確実に固定でき、加飾性を高めることが達成される。
【００１１】
また、本発明の他の構成は、スリット溝はゲート側の後方スリット溝とゲートの逆側に前方スリット溝を有しているものである。
【００１２】
スリット溝を前方と後方に有するため、インサートラベルの端縁部分が捲くれ上がることを防止することができ、またインサートラベルは前後方向にズレ難くなる。
【００１３】
また、本発明の他の構成は、スリット溝がインサートラベルの端縁部の全周を覆うように形成されている。
【００１４】
インサートラベルの端縁部の全周を覆うようにスリット溝が形成されているため、インサートラベルの端縁部分が捲くれ上がることを確実に防止でき、更には、インサートラベルが前後左右方向にズレ難くなり、所定の場所に確実に固定することができる。
【００１５】
また、本発明の他の構成は、後方スリット溝の溝深さは前方スリット溝の溝深さに比べて深くなっているものである。
【００１６】
射出樹脂の流動圧力が高いゲート側の後方スリット溝の溝深さが深いため、インサートラベルの端縁部分が捲くれ上がることを防止することができる。
【００１７】
更に、本発明の他の構成は、スリット溝の深さが０．３０ｍｍ以上であることが好ましい。
【００１８】
スリット溝の深さが０．３０ｍｍ以上であることによって、インサートラベルをより確実に固定することが可能となる。
【００１９】
上記課題を解決するため、本発明の別の主たる構成の加飾合成樹脂成形品の成形方法は、インサートラベルをインサート材としたインサート成形により表面を加飾した合成樹脂成型品の成形方法であって、
該インサートラベルは、少なくとも合成樹脂を射出するゲート側の端縁部に隣接する外側の位置にインサートラベル面よりも０．２５ｍｍ以上高い有効高さを有する金型周壁を備えたコア金型の型面部分に配置され、
配置された該インサートラベルを、バキューム孔を介して吸引保持しつつ、
該合成樹脂成型品の側面のゲートから透明性を有する合成樹脂を射出成形する
ことを特徴とする。
【００２０】
上記主たる構成からなる加飾合成樹脂成形品の成形方法は、端縁部の全周に亘ってインサートラベル面よりも０．２５ｍｍ以上高い有効高さを有する金型周壁を備えたコア金型を用いることで、射出樹脂の流動圧力をインサートラベルの端縁部分が直接受けるのを防止でき及び流動圧力を低減できるため、インサートラベルの端縁部分が捲くれ上がるとか、インサートラベルが所定位置からズレることを防止することができる。
【００２１】
また、本発明の他の構成は、金型周壁がゲート側とゲートの逆側に形成されている。
【００２２】
金型周壁をゲート側とその逆側に形成しているため、インサートラベルの端縁部分が捲くれ上がることを防止することができる。
【００２３】
また、本発明の他の構成は、金型周壁がインサートラベルの端縁部の全周を覆うように形成されている。
【００２４】
インサートラベルの端縁部の全周を覆うように金型周壁が形成されているため、インサートラベルの端縁部分が捲くれ上がることを確実に防止でき、更には、インサートラベルが前後左右方向にズレ難くなり、所定の場所に確実に固定できる。
【００２５】
また、本発明の他の構成は、金型周壁の有効高さはゲートの逆側に比べゲート側の方が高い。
【００２６】
射出樹脂の流動圧力が高いゲート側の金型周壁の有効高さを高くしているため、インサートラベルの端縁部分が捲くれ上がることを防止することができる。
【００２７】
また、本発明の他の構成は、金型周壁の有効高さが０．３０ｍｍ以上であることが好ましい。
【００２８】
金型周壁の有効高さが０．３０ｍｍ以上であることによって、インサートラベルの端縁部分が受ける射出樹脂の流動圧力を更に低減でき、より確実に固定することが可能である。
【００２９】
また、本発明の他の構成は、インサートラベルを固定するコア金型は、該インサートラベルの設置する型面部分を、射出樹脂の流動方向に対して直交するように粗面化加工している。
【００３０】
射出樹脂の流動方向に対して直交するように粗面化加工を施しているため、インサートラベルが所定位置からのズレ防止効果を発揮することができる。
【００３１】
更に、本発明の他の構成は、バキューム孔の金型クリアランスが０．０５ｍｍ以上であることが好ましい。
【００３２】
バキューム孔の金型クリアランスが０．０５ｍｍ以上であることで、射出樹脂の流動圧力によってズレないようにするバキュームによる吸引保持がより強固となる。
【発明の効果】
【００３３】
本発明は、上記した構成となっているので、以下に示す効果を奏する。
本発明の主たる構成においては、インサートラベルを所定の場所に確実に固定して加飾性を高めた加飾合成樹脂成形品を提供することが可能となった。
【００３４】
また、本発明の別の構成においては、サイドゲートにおける射出成形時にインサートラベルが受ける合成樹脂の流動圧力を低減させことができ、インサートラベルの端縁部分が捲くれ上がるとか、インサートラベルが所定位置からズレることを防止した加飾合成樹脂成形品の成形方法が達成される。
【図面の簡単な説明】
【００３５】
【図１】本発明の加飾合成樹脂成形品の一実施形例を示す斜視図である。
【図２】図１の加飾合成樹脂成形品の上面図である。
【図３】加飾合成樹脂成形品である上蓋の図２のＩ−Ｉ線での断面図、及びインサートラベル端部の拡大断面図である。
【図４】本発明の加飾合成樹脂成形品のインサート成形方法を概略的に示す説明図、及びゲート側のインサートラベル端部の拡大断面図である。
【図５】上蓋を内側から見た平面図である。
【図６】従来のインサート成形方法を概略的に示す説明図である。
【発明を実施するための形態】
【００３６】
以下、本発明の実施形態について図面を参照しつつ説明する。
図１は本発明の加飾合成樹脂成形品の一実施形例を示す斜視図であり、図２は図１の加飾合成樹脂成形品の上面図であり、図３は加飾合成樹脂成形品である上蓋の図２のＩ−Ｉ線での断面図及びインサートラベル端部の拡大断面図である。
以下の説明において、後方又は後端部とは後述の蝶番部２５を有する側を意味し、前方又は前端部とはその逆側（操作ボタン１８を有する側）を意味する。また、左右方向又は側面とは前方と後方とを結ぶ縦方向に対して平面的に直交する方向を意味する。
【００３７】
本実施形態の加飾容器１は合成樹脂製であり、図１に示すように、陥没形成された複数の収容部１６を上面側に備えた容器本体１０と、この容器本体１０の上面を覆う上蓋２０とを備える。なお、容器本体１０の収容部１６内には図示しない化粧料、パフや化粧用具等を収納することが可能である。
【００３８】
容器本体１０は上面視で矩形板状の底壁部１１と、底壁部１１の外周縁から上方に向けて延設している容器周壁１２と、を有する。これら底壁部１１及び容器周壁１２は、上方に開口する収容部１６を画成している。容器周壁１２は、上面視で矩形環状に形成された壁部であり、前方の前壁部１３と、その中間部に蝶番部２５を構成する蝶番凹部１４ａが形成された後方の後壁部１４と、左右の側壁１５、１５と、を有する。前壁部１３の中間部には、凹状の切欠部１３ａが形成されている。この切欠部１３ａには、後述する上蓋２０側に設けられた係止片２４を係止する公知のフック機構１７と、このフック機構１７による係止を解除するための操作ボタン１８が設けられている。なお、フック機構１７については、開閉可能な構造であればどのような形態でもよく、形成位置も問わない。
【００３９】
フック機構１７は切欠部１３ａの前面（収容部１６の前面でもある。）には、上部側の位置に係止突起１７ａが突設され、その下端の位置に傾斜部が突設されている。操作ボタン１８は、切欠部１３ａ内で前後方向に沿って進退自在に設けられている。操作ボタン１８の内側の中段近傍には、後方に向けて突出する押上片１８ａが設けられており、この押上片１８ａの先端部の上端は係止片２４に当接可能にあり、下端は傾斜部に接している。
【００４０】
上蓋２０を閉じると、上蓋２０側の係止片２４が容器本体１０側のフック機構１７を構成する係止突起１７ａを下方に乗り越えて係止することにより、容器本体１０の収容部１６の上面を覆う閉状態を維持することができるようになっている。なお、この閉状態では、操作ボタン１８は、係止片２４によって押上片１８ａが傾斜部に沿って押し下げられた前方の位置にある。
【００４１】
また、加飾容器１の開放動作として操作ボタン１８を押し込むと、押上片１８ａの下端が傾斜部の斜面に沿って上方に摺動し、押上片１８ａの上端が係止片２４を上方に押し上げる。これにより係止片２４が係止突起１７ａを乗り越え、フック機構１７の係止突起１７ａと係止片２４との係止を解除することが可能となっている。そして、上蓋２０を引き上げると、上蓋２０は蝶番部２５の軸部２５ｂ回りに回動し、加飾容器１が開放される。
【００４２】
上蓋２０は上面視で矩形板状の天壁部２２と、天壁部２２の外周縁から下方に向けて延設している矩形環状の上蓋周壁２３と、を有する。天壁部２２は、上蓋２０の閉状態において容器本体１０の底壁部１１の上方で対向して配置されている。上蓋周壁２３は、上面視で矩形環状に形成された壁部であり、前方の前壁部２３ａと、蝶番部２５を構成する蝶番軸壁部２５ａが設けられた後方の後壁部２３ｂと、左右の側壁２３ｃ、２３ｃと、を有する。蝶番軸壁部２５ａは、蝶番凹部１４ａの左右方向の内側に設けられており、蝶番軸壁部２５ａの左右方向の両端部と蝶番凹部１４ａとは、軸部２５ｂを介して連結されている。これによって、容器本体１０に対して上蓋２０を回動可能に支持する蝶番部２５が構成される。
【００４３】
上蓋２０は、図３に示されるような断面構成であり、上蓋２０の天壁部２２は上蓋裏面２２ａ側にインサートラベル３０を有し、そして透明性を有する合成樹脂製から形成されている。上蓋２０が透明性を有することで、上蓋表面２１を通して加飾性を施されたインサートラベル３０が現出され、消費者に視覚効果を訴えることができる。本実施形態では、上蓋２０及び容器本体１０に無色透明なアクリロニトリルスチレン（ＡＳ）樹脂を用いた。
【００４４】
インサート材であるインサートラベル３０は、その加飾目的に合せて基材フィルムに、印刷層、金属薄膜層、塗膜層、或いは印刷層と金属薄膜層を積層したもの等から適宜選択することができる。そして、加飾目的に応じて、絵柄、模様、文字、図案等を適宜選択することができる。
【００４５】
インサートラベル３０の基材フィルムは、インサート成形で成形品の凹凸部を被覆可能な易延伸性を有するもの等が挙げられる。基材フィルムとしては、射出成形、ブロー成形、熱成形等の成形方法や、成形品の形状、凸部の形状を考慮し、インサート成形に際し高温の溶融樹脂により軟化し、さらに成形圧力によりキャビティ金型面の凹凸部の形状に沿うように延伸変形して成形品の凸凹部を被覆可能な易延伸性を有するものが適宜選択される。
【００４６】
具体的な基材フィルムとしては、ポリエチレンテレフタレート（ＰＥＴ）樹脂製の２軸延伸フィルムや、ポリプロピレン（ＰＰ）樹脂製延伸フィルムをはじめ、ポリエステル系、ポリエチレン系、スチレン系、ポリアミド系等、種々のフィルムを使用することができる。
【００４７】
本実施形態で使用されるインサートラベル３０は、ＰＥＴ樹脂製の基材フィルムの上に金属薄膜層としてホログラム柄を蒸着させ、その上にウレタン樹脂系及び塩化ビニル系の２液型のアンカー層と、ポリエステル系の接着層と、が積層されている。更に、基材フィルムの裏側には、ウレタン系の印刷層と、エチレン−酢酸ビニル共重合（ＥＶＡ）系の密着層と、が積層されている。つまり、上蓋２０の上面側から、接着層／アンカー層／金属薄膜層／基材フィルム／印刷層／密着層の層構成となっている。なお、本実施形態で使用用いられたインサートラベル全体の肉厚は、０．０５ｍｍである。
【００４８】
次に、図４は本発明の加飾合成樹脂成形品のインサート成形方法を概略的に示す説明図及びゲート側のインサートラベル端部の拡大断面図である。
金型４０はコア金型４１とキャビティ金型４２から構成され、インサートラベル３０を固着させたいコア金型４１の所定の型面部分に、予め固着させようとしているインサートラベル３０の大きさ及び形状に合わせたバキューム孔４６を形成配置する。そしてコア金型４１は、インサートラベル３０の端縁部の全周に亘って金型周壁４５が形成されている。このコア金型４１の型面部分にインサートラベル３０を、バキューム孔４６を介して吸引保持した状態のまま、上蓋２０の蝶番部２５側のゲート４４からアクリロニトリルスチレン樹脂を射出する。このアクリロニトリルスチレン樹脂の流動圧力をインサートラベル３０の端縁部分が直接受けるのを防止するため、本発明では少なくともゲート４４側のインサートラベル３０に形成した金型周壁４５が防御壁又は流動圧力を低減させる役割を果たすことになる。図４においては、ゲート４４側の後方とゲート４４の逆側の前方に金型周壁４５が形成されているが、本発明においては、射出樹脂の流動圧力が高いゲート４４側に金型周壁４５は必須で、少なくともゲート４４側の後方に金型周壁４５が形成されていれば構わない。
【００４９】
金型周壁４５は、インサートラベル３０面よりも０．２５ｍｍ以上高い有効高さｈを有することが必須であり、有効高さｈは好ましくは０．３０ｍｍ以上であり、より好ましくは０．４５ｍｍ以上である。これによって流動圧力をより低減できインサートラベル３０を所定の場所に確実に固定することができる。有効高さｈが０．２５ｍｍ未満であると、射出樹脂の流動圧力を金型周壁４５が低減させることが難しく、金型周壁４５を乗り越えた射出樹脂の流動圧力に負けて端縁部分が捲れ上がる。なお、金型周壁４５の厚みは流動圧力に負ければ薄くても構わないが、加工性の観点から０．２０ｍｍが好ましい。
【００５０】
このようなインサート成形方法によって得られた上蓋２０は、図３に示されるように、有効高さｈを有する金型周壁４５を転写した、インサートラベル３０の端端部に深さｄのスリット溝２６が前方と後方に形成されている。金型周壁４５の有効高さｈは、射出樹脂の流動圧力が高いゲート４４側の後方を高くして、ゲート４４から離れるにつれて流動圧力は低下するため、前方の有効高さｈを低くすることが好ましい。詳しくは、図３に示されるように、ゲート４４側に近い金型周壁４５によって転写形成される後方スリット溝２６ｂの溝深さｄｂは、前方スリット溝２６ｆの溝深さｄｆに比べ大きく（深く）なることが好ましい。
【００５１】
インサートラベル３０を固着させたいコア金型４１の表面は、射出樹脂の流動方向に対して直交方向（本実施形態では左右方向の横方向）にヘアーライン加工により粗面化加工で微細な凹凸を形成しておくと、インサートラベル３０が流動圧力に対して位置ズレし難くなり好ましい。
【００５２】
インサートラベル３０をコア金型４１に予め固着させ、射出樹脂の流動圧力によってズレないようにするバキュームによる吸引保持をより強固にするため、バキューム孔４６の金型クリアランスｗを０．０５ｍｍ以上とすることが好ましい。なお、バキューム孔４６は、インサートラベル３０の全周縁又は周縁部の一部に設けることができる。
【００５３】
次に、本発明により得られた加飾合成樹脂成形品の上蓋を内側から見た平面図を図５に示す。
本実施形態においては、コア金型４１からの全高さが０．５ｍｍである金型周壁４５をインサートラベル３０の端縁部の全周を覆うように有する金型４０を用い、インサートラベル３０に全体の肉厚が０．０５ｍｍ、つまり金型周壁４５の有効高さｈが０．４５ｍｍ（転写されるスリット溝の深さｄは同様に０．４５ｍｍ）となるインサートラベル３０を所定位置に設置し、バキューム孔４６の金型クリアランスｗが０．０８ｍｍのバキュームによる吸引保持しつつ、蝶番部２５側のゲート４４からアクリロニトリルスチレン樹脂を射出した。これにより、容器側方となる蝶番部２５側にゲート跡を有する。
【００５４】
図５に示されるように、得られた上蓋裏面２２ａはインサートラベル３０の全周に亘ってスリット溝２６が形成されており、そしてインサートラベル３０にはバキュームによる吸引保持によるバキューム跡２７が前後方向の中間部を除く周縁部の一部に残る。
【００５５】
以上、実施例に沿って本発明の構成とその作用効果について説明したが、本発明の実施の形態は上記実施形態に限定されるものではない。
例えば上記実施形態では、透明性を有する合成樹脂製としてアクリロニトリルスチレン（ＡＳ）樹脂を用いたが、ＡＳ樹脂以外のポリスチレン系樹脂、ポリエステル系樹脂、アイオノマー系樹脂等も用いてもよい。なお、透明性を有する合成樹脂製は、無色透明に限定されるものではなく、目的に応じて着色透明又は半透明であっても構わない。
【産業上の利用可能性】
【００５６】
以上説明したように、本発明の加飾合成樹脂成形品及びその成形方法は、インサートラベルを所定の場所に確実に固定して加飾性を高めることができるため、加飾合成樹脂成形品の分野における用途展開をさらに広い領域で図ることができる。
【符号の説明】
【００５７】
１    ；  加飾容器
１０  ；  容器本体
１１  ；  底部
１２  ；  容器周壁
１３  ；  前壁部
１３ａ；  切欠部
１４  ；  後壁部
１４ａ；  蝶番凹部
１５  ；  側壁部
１６  ；  収容部
１７  ；  フック機構
１７ａ；  係止突起
１８  ；  操作ボタン
１８ａ；  押上片
２０  ；  上蓋
２１  ；  上蓋表面
２２  ；  上蓋裏面
２３  ；  上蓋周壁
２３ａ；  前壁部
２３ｂ；  後壁部
２３ｃ；  側壁部
２４  ；  係止片
２５  ；  蝶番部
２５ａ；  蝶番軸壁部
２５ｂ；  軸部
２６  ；  スリット溝
２６ｆ；  前方スリット溝
２６ｂ；  後方スリット溝
２７  ；  バキューム跡
３０、１３０  ；  インサートラベル
４０、１４０  ；  金型
４１、１４１  ；  コア金型
４２、１４２  ；  キャビティ金型
４３、１４３  ；  キャビティ
４４、１４４  ；  ゲート
４５  ；  金型周壁
４６、１４６  ；  バキューム孔
ｈ    ；  （周壁の）有効高さ
ｄ    ；  （スリット溝の）深さ
ｄｆ  ；  前方スリット溝深さ
ｄｂ  ；  後方スリット溝深さ
ｗ    ；  金型クリアランス
【図１】
0006702613.tif 000002
【図２】
0006702613.tif 000003
【図３】
0006702613.tif 000004
【図４】
0006702613.tif 000005
【図５】
0006702613.tif 000006
【図６】
0006702613.tif 000007